(57)【要約】【課題】ドライバーや車両の状態、又は、ネットワークの種類に応じて、その通知方法を最適に選択可能とする車載装置を提供すること。【解決手段】車両に搭載されて車載LANを通じて車両に搭載された他の車載機器と通信を行う車載装置は、車載LANに接続可能な通信部１０２と、車載LANに車載機器が新たに接続されたことを含む情報を検知する検知部１０３と、車載機器の接続を複数の選択可能な通知方法によって車両のユーザに通知する通知部１０５と、車両の状態を検出する状態検出部１０６と、車載機器接続についての車両ユーザに対する通知を制御する制御部１０４とを具備しており、制御手段は、状態検出手段による検出結果に基づいて通知手段による通知方法を選択する。【選択図】図１
2007201788.tif 000002
【特許請求の範囲】
【請求項１】
車両に搭載され、車載LANを通じて当該車両に搭載された他の車載機器と通信を行う車載装置であって、
当該車載LANに接続可能な通信手段と、
当該車載LANに前記車載機器が新たに接続されたことを含む情報を検知する検知手段と、
前記車載機器の接続を、一以上の選択可能な通知方法によって、車両のユーザに通知する通知手段と、
前記車両の状態を検出する状態検出手段と、
前記車両ユーザに対する前記車載機器の接続についての通知を制御する制御手段とを具備したものにおいて、
前記制御手段は、前記状態検出手段による検出結果に基づいて、前記通知手段による通知方法を選択することを特徴とする車載装置。
【請求項２】
請求項１に記載の車載装置であって、更に、前記検知手段により検知した情報を保持する記憶手段を具備しており、前記制御手段は、前記状態検出手段による検出結果に基づいて前記通知手段による通知方法を選択する際、該当する通知方法が無いと判断した場合には、当該検知した情報を前記記憶手段に保持し、その後の前記状態検出手段による検出結果に基づいて、前記通知手段による通知方法が選択可能になった場合に、前記記憶手段に保持した情報を読み出し、ユーザに通知することを特徴とする車載装置。
【請求項３】
請求項１又は２に記載の車載装置において、前記車載LANは、無線LANと有線LANとを備え、かつ、前記車載LANと接続可能な通信手段は、少なくとも有線による通信手段と無線による通信手段とを備えており、更に、前記検知手段は、前記車載LANに新たな機器が接続された際に、当該新たな機器が前記有線による通信手段と前記無線による通信手段のいずれに接続されたかを検出し、そして、前記制御手段は、前記検知手段により検知した、前記新たな機器が接続された当該通信手段の種別によって前記通知方法を選択してユーザに通知することを特徴とする車載装置。
【発明の詳細な説明】
【技術分野】
【０００１】
本発明は車載装置に関し、特に、車載LANにおける機器接続構成の変化をユーザに通知する技術に関するものである。
【背景技術】
【０００２】
現在、車両に搭載される電子機器をネットワークで接続するための車載LANとして、複数の規格が検討されている。即ち、車載LANは、車両のどの部位にネットワークを適用するかによって分類される。例えば、エンジン周辺の制御などを行うパワートレイン系、車両のウィンドウやミラー、ワイパーなどの制御を行う制御系、音楽や映像の再生などのマルチメディア（情報）系などに分類される。その中でも、特に、マルチメディア（情報）系ネットワークでは、ネットワークの通信規格として家庭用電気製品でも用いられているIEEE1394規格を転用することが考えられている。なお、このIEEE1394の特徴としては、機器の電源が供給された状態でネットワークに接続することができ、さらにネットワークへ接続した機器の認識が自動的に行われることが挙げられる。
【０００３】
そして、以下の特許文献１によれば、かかるIEEE1394の自動認識機能を用いることにより、ネットワークを構成する機器の増減を検出し、検出した内容を通知する通信システムが提案されている。即ち、この特許文献１に開示された通信方法によれば、ネットワークに接続された機器の種別と機器間の接続順序など、所謂、ネットワーク接続構成を判別して該ネットワーク接続構成を記憶し、一方、機器の接続と切断を検知した場合には、新たに構成されるネットワークと、前もって記憶されたネットワーク接続構成を比較することにより、当該ネットワークを構成する機器の増減を検出する。これにより、例えば運転手は、他の搭乗者が行う機器のネットワークに対する接続や切断を容易に把握することができる。
【０００４】
【特許文献１】特開２０００−３５４０５２号公報
【発明の開示】
【発明が解決しようとする課題】
【０００５】
上記の技術によれば、車載LANの機器接続構成の変化を捉えることから、ネットワークに接続された機器の種別などの情報を得る事が容易になる。しかしながら、一方、当該機器が車内という環境下で用いられることを考慮した場合、停車中や走行中など、車両が取り得るであろう、異なる状態にも配慮する必要がある。例えば、そのユーザとしてドライバーを考える場合、車両の状態により、その通知方法によってはドライバーの注意力を発散させ、そのため、安全性を損なう恐れがある。そこで、車両の状態を把握し、その把握した状態に適した通知方法を選択することにより、上記安全性の低下を防ぐ工夫が望まれている。
【０００６】
また、上記に加え、車内環境におけるユーザの状態についても考慮する必要がある。例えば、現在の車内環境では、ユーザはCDやラジオにより音楽を聴くこと、又は、DVDにより映画を鑑賞することが可能である。また、ドライバーがハンズフリー装置を用いて運転中に通話することも考えられる。このような場合、通知の方法によっては、ユーザの視聴や通話を妨げる可能性がある。そこで、このようなユーザの状態を検出するために車載機器の使用状態を把握し、その把握した状態に適した通知方法を選択し、ユーザの快適性の低下を防ぐ工夫が望まれている。
【０００７】
更には、車載LANが無線を介して接続可能である場合には、当該車載LANに対して車外の機器から接続が行なわれる可能性がある。このような場合、車外の機器が車載機器のコンテンツへ不正なアクセスを行うなど、機器コンテンツのセキュリティ上の危険性がある。そのため無線により接続可能である場合には、ユーザは、有線の車載LANの場合以上に注意しながら、車載LAN機器の接続を把握する必要がある。
【０００８】
そこで、本発明では、上記背景技術の状況に鑑み、その目的として、ユーザであるドライバーや車両の状態、又は、ネットワークの種類に応じて、その通知方法を最適に選択可能とする車載装置を提供することにある。
【課題を解決するための手段】
【０００９】
本発明によれば、上記の目的を達成するため、まず、車両に搭載され、車載LANを通じて当該車両に搭載された他の車載機器と通信を行う車載装置であって、当該車載LANに接続可能な通信手段と、当該車載LANに前記車載機器が新たに接続されたことを含む情報を検知する検知手段と、前記車載機器の接続を、一以上の選択可能な通知方法によって、車両のユーザに通知する通知手段と、前記車両の状態を検出する状態検出手段と、前記車両ユーザに対する前記車載機器の接続についての通知を制御する制御手段とを具備したものにおいて、前記制御手段は、前記状態検出手段による検出結果に基づいて、前記通知手段による通知方法を選択する車載装置が提供される。
【００１０】
また、本発明によれば、上記に記載の車載装置であって、更に、前記検知手段により検知した情報を保持する記憶手段を具備しており、前記制御手段は、前記状態検出手段による検出結果に基づいて前記通知手段による通知方法を選択する際、該当する通知方法が無いと判断した場合には、当該検知した情報を前記記憶手段に保持し、その後の前記状態検出手段による検出結果に基づいて、前記通知手段による通知方法が選択可能になった場合に、前記記憶手段に保持した情報を読み出し、ユーザに通知すること、又は、前記車載LANは、無線LANと有線LANとを備え、かつ、前記車載LANと接続可能な通信手段は、少なくとも有線による通信手段と無線による通信手段とを備えており、更に、前記検知手段は、前記車載LANに新たな機器が接続された際に、当該新たな機器が前記有線による通信手段と前記無線による通信手段のいずれに接続されたかを検出し、そして、前記制御手段は、前記検知手段により検知した、前記新たな機器が接続された当該通信手段の種別によって前記通知方法を選択し、もって、ユーザに通知することが好ましい。
【発明の効果】
【００１１】
上述した本発明の車載装置によれば、前記制御手段が、前記検知手段により検知した車載LANの機器接続構成の変化を、前記状態検出手段から読み出した車両及び車載機器の状態検出結果に基づいて、前記通知手段の通知方法を選択することにより、ユーザの状況に応じた通知方法で情報の通知を受け付けることが可能となり、注意力発散の防止により、安全性が向上する。
【００１２】
また、上述した本発明の車載装置によれば、状態検出結果により現時点では通知しないと判断された場合でも、前記記憶手段により通知情報を記憶しておき、状態の変化により通知方法を選択可能となった時点で前記記憶手段から通知情報を読み出し、ユーザへ通知することで、ユーザへ通知するタイミングをずらし、ユーザの妨げとなる可能性を防ぐことが可能となる。
【００１３】
更に、上述した本発明の車載装置によれば、車載LANの通信方式を前記検知手段で検知し、検知した通信方式が無線方式のように車外から車載LANへ接続が可能で、車載LAN機器に不正にアクセスする可能性がある場合は、通知方式を変更することにより、ユーザに注意を促すことが可能となる。
【発明を実施するための最良の形態】
【００１４】
以下、本発明の実施の形態について、添付の図面を参照して詳細に説明する。
【実施例１】
【００１５】
添付の図１〜図４は、本発明の第１の実施例になる車載装置について説明するための図であり、これらの図図１は車載装置の構成図、図２は車載装置を搭載した車両の構成図、図３は状態検出手段により検出された状態に対応する通知方法の一例を示す図、そして、図４は車載装置の動作を説明するフローチャート図である。
【００１６】
第１の実施例は、車載LANに接続された車載装置が車載LANの機器接続構成の変化を検知し、その時点の車両の状況を検出し、より適した通知方法を選択する場合の例である。
【００１７】
この第１の実施例では、図１において、車両に搭載され、かつ、車載LANと通信可能な車載装置１０１は、車載LAN機器と通信を行うための通信部１０２、車載LANにおける機器接続構成の変化を検知するための検知部１０３、前記検知部１０３からの検知情報を受けてドライバー（又は、ユーザ）に通知するための制御部１０４、音声出力装置（スピーカ）や画像表示装置（ディスプレイ）などに接続され、当該接続された装置を用いてドライバーへ通知する通知部１０５、そして、車両の状態を検出する状態検出部１０６を備えて構成されている。
【００１８】
なお、上記の車両に搭載された車載装置１０１のより具体的な例としては、例えば、IEEE1394と接続可能なカーナビゲーション等が挙げられる。また、上記車載装置１０１を構成する通信部１０２は、例えば、IEEE1394方式の通信装置等により構成される。また、上記検知部１０３は、例えば、CPUと不揮発性メモリに記録されたプログラムとで構成されている。なお、かかる構成では、車載LANに接続された各機器のIDやネットワーク構成などをメモリ領域に記憶しており、機器の接続や切断により車載LANにおける機器の接続構成に変化が生じた際には、前もってメモリ領域に記憶された車載LANにおける機器の接続構成との比較により、その変更内容を制御部１０４に通知するように構成される。
【００１９】
制御手段１０４は、上記CPUと不揮発性メモリに記録されたプログラムとで構成され検知部１０３からの情報（車載LANにおける機器接続構成の変更に関する情報）を受信し、ドライバーに対して、当該情報を通知する一連の手順を開始する。また、上記の通知部１０５を構成する部品としては、上述したカーナビゲーションを構成するディスプレイやスピーカに加えて、更に、LEDランプ、車載LANに接続されたディプレイやスピーカなどが挙げられる。また、上記の状態検出手段１０６も、また、CPUと不揮発性メモリに記録されたプログラムとで構成され、かつ、種々の外部機器と接続されており、もって、カーナビゲーション等が用いている車両の状態を示す情報や各種機器の状況を読み出すことにより、車両の状態を検出する。なお、この車両の状態を示す情報の例としては、例えば、車両の速度を示す車速パルス、ワイパーのON/OFF信号、サイドブレーキのON/OFF信号などが挙げられる。
【００２０】
次に、上記の車載装置を搭載した車両の構成を示す図２において、符号２０１は車両を、２０２は車載LANを構成するCDプレイヤを、２０３は車載LANを構成するDVDプレイヤを、２０４は車両の速度を検知する車速パルス検知器を、２０５はカーナビゲーション２０７に接続されたLCDなどの表示装置を、そして、２０６はカーナビゲーション２０７に接続されたスピーカを、それぞれ、示している。
【００２１】
上記にその構成を説明した車載装置の動作、即ち、車載LANにおける機器の接続構成の変化を検知してユーザに通知するまでの流れについて、上記の図１及び図２を用いて説明する。
【００２２】
まず、車両２０１内の車載LANに、例えば、DVDプレイヤ２０３を接続すると、当該車載LANは機器の接続を検知し、ネットワークにおける機器の接続構成を変更する。これに伴い、検知部１０３は、通信手段１０２に接続された車載LANにおける機器の接続構成の変化を検知する。一方、制御部１０４は、上記検知部１０３からの情報（車載LANにおける機器の接続構成に変化が生じたことの情報）を受け、まず、状態検出部１０６から、現在の車両の状態を読み出す。なお、この状態検出部１０６は、例えば、車速パルス２０４から車速を読み出し、走行中であることを検出する。また、制御部１０４は、上記状態検出部１０６から読み出した、例えば走行中であるなど、現在の車両の状態に対応して、通知方法を選択する。そして、この選択した通知方法に基づいて、上記の通知部１０５を用いて、車載LANにおける機器の接続構成の変化をドライバーに対して通知する。この通知部１０５は、例えば、選択された通知方法が音声出力であった場合、スピーカ２０６を介して、車載LANにDVDプレイヤ２０３が接続されたこと合成音声で出力する。
【００２３】
次に、添付の図３は、前記した状態検出部１０６によって検出された状態に対応する通知部における通知方法（通知手段の選択）の一例を示している。この表では、判定条件として、車両の状態（例えば、走行中、停車中）を示している。この例では、車両が走行中の場合には、音声のみで通知を行なうこと、そして、車両が停車中の場合には、音声と画像により通知を行なうことが設定されている。
【００２４】
続いて、添付の図４は、上記に構成を説明した車載装置における、特に、状態検出から通知手段の選択までの流れを示している。まず、検知部１０３により車載LANにおける機器の接続構成の変化を検知し（ステップＳ４０１）、その後、上記状態検出部１０６により、車両状態（本例では、走行中か、又は、停車中かの判定）の検出を実行する（ステップＳ４０２）。
【００２５】
このステップＳ４０２における検出の結果、もし、車両が走行中であると判定された場合には、ドライバーは運転中であることが当然予想されることから、ドライバーへの通知方法としては音声のみを選択し（ステップＳ４０３）、他方、車両が停車中であると判定された場合には、ドライバーは運転中でないと予想されることから、その通知方法としては音声と画像の両者を用いて通知し（ステップＳ４０３）、処理を終了する。このようにして、例えば、上記図３に示した通知手段の選択条件（判定条件）に対応して、ドライバーの状態に対応した通知方法（通知手段）の選択を実現することが可能となる。
【００２６】
なお、上記図３に示した判定条件と通知方法（通知手段の選択）は一例であり、本発明は当該例にのみ限定されるものではない。例えば、その他、車両に備えられた通知手段や車両が取り得る動作状態によって、当該状態に対応する通知方法を、適宜、事前に設定しておくことにより、ドライバーの状態に対応して、最適な通知方法（通知手段）を選択することが可能である。
【００２７】
また、ドライバーへの通知メッセージとしては、例えば、「車載LANからDVDプレイヤが外されました。」、又は「車載LANへDVDプレイヤが接続されました。」など、文章を読み上げてスピーカから音声出力する形態や、当該文書をカーナビゲーションの画面上へ表示する携帯が考えられる。加えて、これらを組み合わせ、即ち、上記の文章を音声と画面により、同時に出力することも可能である。更には、例えば、「ポーン」と鳴るチャイム音を、スピーカを介して発音させてドライバーに対して車載LANに変化が生じたことの注意を促し、一方、その具体的な変更内容については、カーナビゲーションの画面上に上記の文書を表示する携帯なども考えられる。また、カーナビゲーションの画面上で表示する内容としては、上記したIEEE1394方式の機器の画像を事前に用意したおき、これらを用いて車載LANのモデル図を画面上に表示し、そして、変化が検知された機器の部分を点滅させるなどの方法により、車載LANにおける機器の接続構成の変化を通知する方法も考えられる。
【００２８】
以上からも明らかなように、上述した本発明の第１の実施例になる車載装置によれば、車載装置１０１は車載LANにおける機器接続構成の変化を検知部１０３で検出し、そして、検出結果をドライバーへ通知する場合には、制御部１０４によって車両の状態が状態検出部１０６から読み出され、当該状態の検出結果を基に、例えば上記図３に示ように、車両の取り得る各種の状態に対応する適切な通知方法を選択し、もって、通知部１０６を介してドライバーへ通知する。これにより、運転中の通知であっても、当該通知によるドライバーの注意力の発散を防止し、車両における安全性の低下を防止することが可能となる。
【実施例２】
【００２９】
続いて、添付の図５〜図７により、本発明の第２の実施例について説明する。なお、図５は車載装置の構成図、図６は車載装置を搭載した車両の構成図、図７は状態検出手段により検出された状態に対応する通知方法の一例を示す図である。なお、この第２の実施例では、上記の第１の実施例と同様に、車載LANに接続された車載装置が車載LANにおける機器接続構成の変化を検知するが、しかしながら、当該変化を検出した時点での車載機器の動作状況に応じて、適宜、通知方法を選択してドライバーへ通知するものである。
【００３０】
図５において、符号５０１は車載機器の状態を検出する状態検出部、５０２は検知した情報を記憶する記憶部である。その他、上記実施例１において図１に示す番号と同じ符号が付された構成は、上記と同様であり、ここでは、その説明は省略する。
【００３１】
この図５において、状態検出部５０１は、CPUと不揮発性メモリに記録されたプログラムとで構成され、かつ、外部機器および通信部１０２を介して車載ＬＡＮと接続されており、そして、カーナビゲーション等が用いている車両の状態を示す情報や各機器の状況を読み出して、その状態を検出する。前記各機器の状況としては、例えば、カーナビゲーションのハンズフリー通話機能が動作している状況、車載LANに接続されたDVDプレイヤが使用されている状況などが挙げられる。また、図の記憶手段５０２は、例えば、不揮発性メモリやハードディスクドライブなど、所謂、ストレージである。
【００３２】
次に、添付の図６において、符号６０１はマイク、６０２は携帯電話であり、その他、上記実施例１において図２に示す番号と同じ符号が付された構成は、上記と同様であり、ここでは、その説明は省略する。なお、ハンズフリー通話を行う場合には、図６において、マイク６０１でドライバーの声を受け、スピーカ２０５で携帯電話６０２からの音声を出力することで会話を実現する。
【００３３】
続いて、上記に構成を説明した本発明の第２の実施例になる車載装置の動作、特に、車載LANの機器接続構成の変化を検知してユーザに通知するまでの流れについて、添付の図５〜図７を用いて説明する。
【００３４】
まず、車両２０１内の車載LANに、例えば、CDプレイヤ２０２を接続する。すると、車載LANは機器の接続を検知し、ネットワークにおける機器の接続構成を変更する。これに伴い、検知部１０３は、上記通信部１０２と接続された車載LANにおける機器の接続構成の変化を検知する。一方、制御部１０４は、上記検知手段１０３からの情報（車載LANにおける機器の接続構成に変化が生じたことの情報）を受け、まず、上記状態検出部５０１から、現在の車載機器の状態を読み出す。なお、第２の実施例では、この状態検出部５０１は、例えば、DVDプレイヤ２０３が動作中であることを検出する。そして、制御部１０４は、上記状態検出部５０１から読み出した状態（判定条件）に対応して通知方法を選択する。なお、この判定条件と通知方法（通知手段の選択）の例が、添付の図７に示されている。
【００３５】
即ち、この図７の例では、表の中段に示すように、「DVD再生中」であること（即ち、該当する選択可能な通知方法が無いと判断される場合）に対応する通知方法としては、「通知内容を記憶、再度通知」が設定されている。このことから、制御部１０４は、ユーザへの通知内容を、一旦、記憶部５０２に記憶し、その後、所定の時間が経過した後（即ち、選択可能な通知方法を検出した場合）、上記状態検出部５０２から、再度、検出結果を読み出す。そして、上記状態検出部５０２から読み出した検出結果である判定条件の変化により、例えば、「音楽再生中」などのように、通知部１０５を用いてユーザへ通知が可能となった場合に、制御部１０４は記憶部５０２から一旦記憶した通知内容を読み出し、ユーザに対して、車載LANにおける機器の接続構成の変化を通知する。なお、上記の制御手段１０４は、状態検出部５０２から再度その検出結果を読みだす処理を、判定条件が変化するまで繰り返す。
【００３６】
以上に詳述したように、上記した第２の実施例によれば、車載装置１０１は、車載LANにおける機器の接続構成の変化を検知部１０３で検出してユーザへ通知する場合、制御部１０４が状態検出部５０１から車載機器の状態を読み出し、その状態検出結果を、上記図７に示す表に示すように、各種の状態に対応して選択される通知方法に基づいて、通知部１０５による通知方法（通知手段）を選択することが可能となることから、ユーザの行動を中断することなく、車載LANにおける機器の接続構成の変化を通知することが可能となる。
【実施例３】
【００３７】
更に、添付の図８〜図１０は、本発明の第３の実施例になる車載装置を説明するための図であり、図８は車載装置の構成図、図９は車載装置を搭載した車両の構成図、そして、図１０は状態検出部により検出された状態に対応する通知方法の設定例を示す図である。
【００３８】
なお、この第３の実施例は、上記の第１及び第２の実施例と同様、車載LANに接続された車載装置が車載LANにおける機器接続構成の変化を検知するが、しかしながら、その際の車載機器の動作状況、及び、車載LANの通信方式に応じて、その通知方法を選択してドライバーへ通知するものである。
【００３９】
まず、図８において、符号８０１は車載無線LAN機器と通信を行う無線通信部であり、８０２は、車載無線LANにおける機器の接続構成の変化を検知するための無線検知手段である。その他、上記実施例２において図５に示す番号と同じ符号が付された構成は、上記と同様であり、ここでは、その説明は省略する。なお、この無線通信部８０１としては、例えば、802.11a/b/gなどの家庭用無線LANクライアントアダプターやBloutooth等で構成される。また、無線検知部８０２は、例えば、CPUと不揮発性メモリに記録されたプログラムとで構成され、かつ、そのメモリ領域には、車載無線LANに接続された各機器のIDなどが記憶されている。かかる構成によれば、機器の接続や切断によって車載無線LANの構成に変化が生じた際に、前もって記憶された車載無線LANの構成との比較により得られる変更内容を、制御手段１０４に通知することが可能である。
【００４０】
また、図９において、符号８０１は、上記図８に示した無線通信部を示しており、また、符号９０１は車載無線LANに接続可能なCDプレイヤ、９０２は車載無線LANに接続可能なDVDプレイヤを示しており、その他、上記実施例１を示す図２に示す番号と同じ符号が付された構成は、上記と同様であり、ここでは、その説明は省略する。
【００４１】
次に、上記に構成を説明した本発明の第３の実施例になる車載装置の動作、特に、車載無線LANにおける機器の接続構成の変化を検知してユーザに通知するまでの流れを、上記の図８〜図１０を用いて説明する。
【００４２】
ここでは、一例として、車両２０１内において、DVDプレイヤ２０３の動作中にCDプレイヤ２０２を車載LANに接続する。すると、車載LANは、機器の接続を検知し、当該接続された機器の認証を行う。また、検知部１０３は、車載LANにおける機器の接続構成の変化検知する。一方、制御部１０４は、上記検知部１０３からの情報（車載LANにおいて機器の接続構成に変化が生じたとの情報）を受け、まず、状態検出部５０１から、現在の車載機器の動作状態を読み出す。
【００４３】
なお、この例では、状態検出部５０１はDVDプレイヤ２０３が動作中であることを検出する。さらに、制御手段１０４は、最初に検出したのが検知部１０３であること、及び、状態検出手段５０１から読み出した現在の車載機器の動作状態が「DVD再生中」であることから、図１０に示される「有線LANへの接続を検知」を判定する。そして、例えば、「DVD再生中」の場合には、その状態に対応する通知方法として、「通知内容を記録し、再度通知」を選択することとなる。これに伴い、制御手段１０４は、通知内容を記憶手段５０２に記憶させることとなる。
【００４４】
その後、上記DVDの再生動作が終了し、もって、上記状態検出手段５０１が、使用中の機器が無くなったことを検出すると、上記第２の実施例と同様に、制御手段１０４は、記憶手段５０２から一旦記憶した通知内容を読み出し、ユーザへ通知する。
【００４５】
次に、DVDプレイヤ２０３の動作中に、他のDVDプレイヤ９０２を起動して車載無線LANに接続すると、当該車載無線LANは、機器の接続を検知し、当該接続された機器の認証を行う。また、無線検知部８０２は、車載無線LANへの機器の接続構成の変化を検知する。一方、制御手段１０４は、無線検知部８０２からの情報（車載無線LANへの機器の接続構成に変化が生じたことの情報）を受け、上記状態検出手段５０１から、現在の車載機器の動作状態を読み出す。
【００４６】
なお、この例では、状態検出手段５０１はDVDプレイヤ２０３が動作中であることを検出する。さらに、制御手段１０４は、最初に検出したのが無線検知手段であること、及び、状態検出手段５０１から読み出した現在の車載機器の動作状態が「DVD再生中」であることから、上記図１０に示される「無線LANへの接続を検知」を判定し、更に、例えば、「DVD再生中」の場合には、その状態に対応する通知方法として「画像のみ」の表示を選択し、ユーザに無線LAN機器の接続を通知する。即ち、カーナビゲーションの画面上で表示する。
【００４７】
以上に詳述した本発明の第３の実施例になる車載装置によれば、車載無線LANにおける機器の接続構成の変化を、上記の無線検知手段８０２で検出し、そして、検出した変化をユーザへ通知する場合には、制御手段１０４が、状態検出手段５０１から読み出した車載機器の状態と共に、検知した車載LANの通信方式に応じて、上記図１０の表に示されるように、状態の検出結果である各種の状態に対応した適切な通知方法（通知手段）を選択して、通知部１０５により通知することが可能となる。そして、この第３の実施例になる車載装置によれば、車内に複数の車載LANを有する場合に、特に、車載LANの通信方式（有線又は無線）に対応してユーザへの通知方法を変更することにより、ユーザに注意を促すことが可能となる。
【図面の簡単な説明】
【００４８】
【図１】本発明の第１の実施例になる車載装置の構成を示す図である。
【図２】上記図１に示した車載装置を搭載した車両の構成の一例を示す図である。
【図３】上記図１に示した車載装置おける各種状態に対応する通知方法の設定の一例を示す図である。
【図４】上記図１に示した車載装置の動作を説明するためのフローチャート図である。
【図５】本発明の第２の実施例になる車載装置の構成を示す図である。
【図６】上記図５に示した車載装置を搭載した車両の構成の一例を示す図である。
【図７】上記図５に示した車載装置おける各種状態に対応する通知方法の設定の一例を示す図である。
【図８】本発明の第３の実施例になる車載装置の構成を示す図である。
【図９】上記図８に示した車載装置を搭載した車両の構成の一例を示す図である。
【図１０】上記図８に示した車載装置おける各種状態に対応する通知方法の設定の一例を示す図である。
【符号の説明】
【００４９】
１０１…車載装置
１０２…通信部
１０３…検知部
１０４…制御部
１０５…通知部
１０６…状態検出部。
【図１】
2007201788.tif 000003
【図２】
2007201788.tif 000004
【図３】
2007201788.tif 000005
【図４】
2007201788.tif 000006
【図５】
2007201788.tif 000007
【図６】
2007201788.tif 000008
【図７】
2007201788.tif 000009
【図８】
2007201788.tif 000010
【図９】
2007201788.tif 000011
【図１０】
2007201788.tif 000012